(57)【要約】【課題】  第１の光学系を取り付けのための基準をスリットにも用いることにより精度良く取り付けることを可能とすると共に、確実に偏向面上に光束が入射され主走査方向の走査を安定させる走査光学装置を備える画像形成装置を提供すること。【解決手段】  第一の光学系を通過した光束を成形するためのマスクを取り付ける際の取付基準を、第一の光学系を走査光学装置の筐体へ取り付けるための基準と同一にしたことを特徴とする画像形成装置。【選択図】        図３
2005338545.tif 000002
【特許請求の範囲】
【請求項１】
光源からの光束を略平行光束に変換する第一の光学系と、第一の光学系を通過して主走査対応方向に長い線像として変換せしめる第二の光学系と、第二の光学系を通過した光束を所定方向に等角速度で偏向させる偏向手段と、該偏向手段と被走査面との間に配設され、略等速で走査されるように、入射された光束を被走査面上に収束させる、１枚ないし複数枚の走査レンズを内包した走査光学装置を備える画像形成装置において、
前記第一の光学系を通過した光束を成形するためのマスクを取り付ける際の取付基準を、第一の光学系を走査光学装置の筐体へ取り付けるための基準と同一にしたことを特徴とする画像形成装置。
【請求項２】
光源を複数としたことを特徴とする請求項１に記載の画像形成装置。
【発明の詳細な説明】
【技術分野】
【０００１】
本発明は、複写機、プリンタ、ＦＡＸ等の画像形成に用いられる走査光学装置を備える画像形成装置に関する。
【背景技術】
【０００２】
従来よりレーザプリンタ等の画像記録装置においては、その画像の書き込み手段として読み取った情報を基にレーザ光を光偏向装置の高速回転するポリゴンミラー（回転多面鏡）に入光させ、反射光を走査させて感光体面に投影して画像記録を行っている。
【０００３】
また、光学レンズに対して逆方向に光ビームを入射し、結像されたビーム形状を観察し、ビームの中心から発生したサイドローブのうち最大強度を示すサイドローブに向かう方向であるサイドローブ方向が、スリット（マスク）の短辺方向に対して、±３０度以内になるように、光学レンズとスリットとを配置し、また、光学レンズを保持した鏡胴にスリットを設け、鏡胴と主胴とのうち一方を他方に対して光軸方向にのみ移動させ、鏡胴に保持された光学レンズと主胴に保持された光源とを所定の位置に設定する走査光学装置を備える画像形成装置が知られている（特許文献１参照。）。
【特許文献１】特開平１１−２４９０４５号公報
【発明の開示】
【発明が解決しようとする課題】
【０００４】
上記走査光学装置を備える画像形成装置において、従来のマスクの取り付け方法だと平行光の中心にマスクの中心を合わせることが難しく、かつ偏向手段への入射がばらついてしまうことがあった。
【０００５】
本発明は上記の不具合を解消し、第１の光学系を取り付けのための基準をスリットにも用いることにより精度良く取り付けることを可能とすると共に、確実に偏向面上に光束が入射され主走査方向の走査を安定させる走査光学装置を備える画像形成装置を提供することを目的とする。
【課題を解決するための手段】
【０００６】
上記目的は、光源からの光束を略平行光束に変換する第一の光学系と、第一の光学系を通過して主走査対応方向に長い線像として変換せしめる第二の光学系と、第二の光学系を通過した光束を所定方向に等角速度で偏向させる偏向手段と、該偏向手段と被走査面との間に配設され、略等速で走査されるように、入射された光束を被走査面上に収束させる、１枚ないし複数枚の走査レンズを内包した走査光学装置を備える画像形成装置において、前記第一の光学系を通過した光束を成形するためのマスクを取り付ける際の取付基準を、第一の光学系を走査光学装置の筐体へ取り付けるための基準と同一にしたことを特徴とする画像形成装置によって達成される。
【０００７】
本発明は上記の如き構成をとることにより、第１の光学系を取り付けのための基準をスリットにも用いることにより精度良く取り付けることを可能とすると共に、確実に偏向面上に光束が入射され主走査方向の走査を安定させる走査光学装置を備える画像形成装置の提供を図るものである。
【発明の効果】
【０００８】
本発明によれば、第１の光学系を取り付けのための基準をスリットにも用いることにより精度良く取り付けることが可能となると共に、偏向手段への入射位置のバラツキが少なくなり安定するため、確実に偏向面上に光束が入射され主走査方向の走査が安定する走査光学装置を備える画像形成装置の提供が可能となる。
【発明を実施するための最良の形態】
【０００９】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１０】
（１）本発明にかかわる走査光学装置を備える画像形成装置について、図１にて以下に述べる。図１は、本発明にかかわる走査光学装置を備える画像形成装置の概略断面構成図である。
【００１１】
図１において、画像形成装置ＧＳは、画像形成装置本体ＧＨと画像読取装置ＹＳとから構成される。
【００１２】
画像形成装置本体ＧＨは、タンデム型カラー画像形成装置と称せられるもので、複数組の画像形成部１０Ｙ、１０Ｍ、１０Ｃ、１０Ｋと、ベルト状の中間転写体６と給紙搬送手段と、分離補助手段と、を有する定着装置１７とからなる。
【００１３】
画像形成装置本体ＧＨの上部には、自動原稿送り装置２０１と原稿画像走査露光装置２０２から成る画像読取装置ＹＳが設置されている。自動原稿送り装置２０１の原稿台上に載置された原稿ｄは搬送手段により搬送され、原稿画像走査露光装置２０２の光学系により原稿の片面又は両面の画像が走査露光され、ラインイメージセンサＣＣＤに読み込まれる。
【００１４】
ラインイメージセンサＣＣＤにより光電変換されたアナログ信号は、画像処理部において、アナログ処理、Ａ／Ｄ変換、シェーディング補正、画像圧縮処理等を行った後、画像書き込み部（走査光学装置）８００Ｙ、８００Ｍ、８００Ｃ、８００Ｋに信号を送る。
【００１５】
イエロー（Ｙ）色の画像を形成する画像形成部１０Ｙは、像担持体としての感光体ドラム１Ｙの周囲に配置された帯電手段２Ｙ、走査光学装置８００Ｙ、現像装置４Ｙ及びクリーニング手段８Ｙを有する。マゼンタ（Ｍ）色の画像を形成する画像形成部１０Ｍは、像担持体としての感光体ドラム１Ｍ、帯電手段２Ｍ、走査光学装置８００Ｍ、現像装置４Ｍ及びクリーニング手段８Ｍを有する。シアン（Ｃ）色の画像を形成する画像形成部１０Ｃは、像担持体としての感光体ドラム１Ｃ、帯電手段２Ｃ、走査光学装置８００Ｃ、現像装置４Ｃ及びクリーニング手段８Ｃを有する。黒（Ｋ）色の画像を形成する画像形成部１０Ｋは、像担持体としての感光体ドラム１Ｋ、帯電手段２Ｋ、走査光学装置８００Ｋ、現像装置４Ｋ及びクリーニング手段８Ｋを有する。帯電手段２Ｙと露光手段３Ｙ、帯電手段２Ｍと走査光学装置８００Ｍ、帯電手段２Ｃと走査光学装置８００Ｃ及び帯電手段２Ｋと走査光学装置８００Ｋとは、潜像形成手段を構成する。
【００１６】
４Ｙ、４Ｍ、４Ｃ、４Ｋは、イエロー（Ｙ）、マゼンタ（Ｍ）、シアン（Ｃ）及び黒（Ｋ）の、小粒径のトナーとキャリアからなる２成分現像剤を内包する現像装置である。
【００１７】
中間転写体６は、複数のローラにより巻回され、回動可能に支持されている。
【００１８】
画像形成部１０Ｙ、１０Ｍ、１０Ｃ及び１０Ｋより形成された各色の画像は、回動する中間転写体６上に転写手段７Ｙ、７Ｍ、７Ｃ及び７Ｋにより逐次転写されて（１次転写）、合成されたカラー画像が形成される。給紙カセット２０内に収容された転写材としての記録紙Ｐは、給紙手段２１により給紙され、給紙ローラ２２Ａ、２２Ｂ、２２Ｃ、レジストローラ２３等を経て、転写手段７Ａに搬送され、記録紙Ｐ上にカラー画像が転写される（２次転写）。カラー画像が転写された記録紙Ｐは、定着装置１７へと搬送される。定着装置１７において、熱と圧力とを加えることによりカラートナー像（或いはトナー像）が定着された記録紙Ｐは、排紙ローラ２４に挟持されて機外の排紙トレイ２５上に載置される。
【００１９】
一方、転写手段７Ａにより記録紙Ｐにカラー画像を転写した後、記録紙Ｐを分離した中間転写体６は、クリーニング手段８Ａにより残留トナーが除去される。
【００２０】
なお、上記画像形成装置の説明においては、カラー画像形成にて説明したが、モノクロ画像を形  成する場合も本発明に含まれるものである。
【００２１】
（２）本発明にかかわるポリゴンミラーの光偏向装置を用いたビーム走査光学装置の一実施の形態について、図２ないし図４にて以下に述べる。図２は、本発明にかかわるポリゴンミラーの光偏向装置を用いた走査光学装置の一実施の形態を示す斜視図であり、図３および図４は、コリメータレンズとマスクとの取付基準を示す斜視図である。
【００２２】
図２において、走査光学装置８００は、８０は光源としての半導体レーザ、８１はビーム整形用光学系の第１の光学系としてのコリメータレンズ、８２は第１シリンドリカルレンズ、８３は第２の光学系としてのポリゴンミラー、８４Ａ、８４Ｂは偏光手段としてのｆθレンズ、８５は第２シリンドリカルレンズ、８６はミラー、８７はカバーガラス、８８は感光体ドラムをそれぞれ示している。なお、８９は同期検出用のインデックスミラー、８９Ｓは同期検知用のインデックスセンサ、８３Ｍは光偏向装置のポリゴンミラー８３の回転駆動部である。
【００２３】
半導体レーザ８０から出射したビーム光は、コリメータレンズ８１により平行光となり、マスクＭＳＫを通し、第１結像光学系の第１シリンドリカルレンズ８２を経て、等速で高速回転するポリゴンミラー８３のミラー面に入射する。この反射光はｆθレンズ８４Ａ、８４Ｂ、第２シリンドリカルレンズ８５から成る第２結像光学系を透過し、ミラー８６、カバーガラス８７を介して感光体ドラム８８の周面上に所定のスポット径で（主）走査が行われる。主走査方向は図示しない調整機構によって微調整がなされ、１ライン毎の同期検知は、走査開始前のビームをインデックスミラー８９を介してインデックスセンサ８９Ｓに入射することによって行われる。
【００２４】
上記走査光学装置８００において、図３および図４に示すように、コリメータレンズ８１を通過した光束を成形するためのマスクＭＳＫを取り付ける際の取付基準を、コリメータレンズ８１を走査光学装置８００の筐体へ取り付けるための基準と同一に設定する。これにより、確実に偏向面上に光束が入射され主走査方向の走査が安定する走査光学装置が得られる。コリメータレンズ８１の取付部材ＴＢａの底面と、マスクＭＳＫの取付部材ＴＢｂの底面とを、走査光学装置８００の筐体へ取り付けるための同一の基準板ＳＢａの基準面ＳＫａに取り付ける。
【００２５】
光源としての半導体レーザ８０から出射するビーム光は１本または２本の複数のビーム光からなる。
【００２６】
上記の如く、本発明の如き構成をとることにより、第１の光学系を取り付けのための基準をスリット（マスク）にも用いることにより精度良く取り付けることが可能となると共に、確実に偏向面上に光束が入射され主走査方向の走査が安定する走査光学装置を備える画像形成装置が得られる。
【図面の簡単な説明】
【００２７】
【図１】本発明にかかわる走査光学装置を備える画像形成装置の概略断面構成図である。
【図２】本発明にかかわるポリゴンミラーの光偏向装置を用いた走査光学装置の一実施の形態を示す斜視図である。
【図３】コリメータレンズとマスクとの取付基準を示す斜視図である。
【図４】コリメータレンズとマスクとの取付基準を示す斜視図である。
【符号の説明】
【００２８】
１Ｙ，１Ｍ，１Ｃ，１Ｋ  感光体ドラム
２Ｙ，２Ｍ，２Ｃ，２Ｋ  帯電手段
３Ｙ，３Ｍ，３Ｃ，３Ｋ  露光手段
４Ｙ，４Ｍ，４Ｃ，４Ｋ  現像装置
１７  定着装置
８０  半導体レーザ
８１  コリメータレンズ
８３  ポリゴンミラー
８４Ａ，８４Ｂ  ｆθレンズ
８００Ｙ，８００Ｍ，８００Ｃ，８００Ｋ，８００  走査光学装置
ＭＳＫ  マスク
ＳＢａ  基準板
基準面ＳＫａ
ＴＢａ，ＴＢｂ  取付部材
Ｐ  記録紙
【図１】
2005338545.tif 000003
【図２】
2005338545.tif 000004
【図３】
2005338545.tif 000005
【図４】
2005338545.tif 000006